(57)【要約】【課題】共通チャネル再設定方法及びその装置を提供する。【解決手段】第２共通チャネルを介して第１共通チャネルの修正されたチャネル設定情報を受信し、該修正されたチャネル設定情報を含む一つのタイプの情報要素によって、第１共通チャネルを再設定するための開始時点を決定し、該決定された開始時点で第１共通チャネルを再設定することによって、ＭＣＣＨのような共通チャネルをより效率的に再設定する。上記第１共通チャネルは、マルチメディア放送マルチキャストサービス（ＭＢＭＳ）のための制御チャネルであることを特徴とする。【選択図】図５
2008541542.tif 000002
【特許請求の範囲】
【請求項１】
第２共通チャネルを介して第１共通チャネルの変更されたチャネル設定情報を受信する段階と、
前記変更されたチャネル設定情報を含む一つのタイプの情報要素によって、前記第１共通チャネルを再設定する開始時点を決定する段階と、
前記決定された開始時点で前記第１共通チャネルを再設定する段階と、
を含む、共通チャネルを再設定する方法。
【請求項２】
前記第１共通チャネルは、マルチメディア放送マルチキャストサービス（ＭＢＭＳ）のための制御チャネルであることを特徴とする、請求項１に記載の共通チャネルを再設定する方法。
【請求項３】
第２タイプの情報要素は、第２共通制御物理チャネル（ＳＣＣＰＣＨ）システム情報であることを特徴とする、請求項２に記載の共通チャネルを再設定する方法。
【請求項４】
前記第２チャネルは、放送制御チャネル（ＢＣＣＨ）であることを特徴とする、請求項１に記載の共通チャネルを再設定する方法。
【請求項５】
前記修正されたチャネル設定情報は、システム情報ブロック（ＳＩＢ）を用いて転送されることを特徴とする、請求項１に記載の共通チャネルを再設定する方法。
【請求項６】
前記情報要素が第１タイプの情報要素に該当すると、前記開始時点は次の変更周期の開始時点として決定されることを特徴とする、請求項１に記載の共通チャネルを再設定する方法。
【請求項７】
前記第１タイプの情報要素は、前記第１共通チャネルがマルチメディア放送マルチキャストサービス（ＭＢＭＳ）のための専用物理チャネルにマッピングされる時に用いられることを特徴とする、請求項６に記載の共通チャネルを再設定する方法。
【請求項８】
前記第１タイプの情報要素は、第２共通制御物理チャネル（ＳＣＣＰＣＨ）システム情報ＭＢＭＳであることを特徴とする、請求項６に記載の共通チャネルを再設定する方法。
【請求項９】
前記情報要素が第２タイプの情報要素に該当すると、前記第１制御チャネルは、前記修正されたチャネル設定情報を受信すると直ちに再設定されることを特徴とする、請求項１に記載の共通チャネルを再設定する方法。
【請求項１０】
前記第２タイプの情報要素は、前記第１共通チャネルを含む少なくとも一つのチャネルが物理チャネルにマッピングされる時に用いられることを特徴とする、請求項９に記載の共通チャネルを再設定する方法。
【請求項１１】
前記情報要素が第２タイプの情報要素に該当し、前記修正されたチャネル設定情報が再設定の開始時点を指示する指示子を含むと、前記開始時点は、次の変更周期の開始時点として決定されることを特徴とする、請求項１に記載の共通チャネルを再設定する方法。
【請求項１２】
前記再設定された第１共通チャネルを介して制御情報を受信する段階をさらに含むことを特徴とする、請求項１に記載の共通チャネルを再設定する方法。
【請求項１３】
第２共通チャネルを介して第１共通チャネルの変更されたチャネル設定情報を受信するアンテナ部と、
無線周波数で受信された信号を処理する無線周波数部と、
前記変更されたチャネル設定情報を含む一つのタイプの情報要素によって、前記第１共通チャネルを再設定する開始時点を決定し、該決定された開始時点で前記第１共通チャネルを再設定する処理部と、
を含む、共通チャネルを介してデータを受信する移動端末。
【請求項１４】
前記第１共通チャネルは、マルチメディア放送マルチキャストサービス（ＭＢＭＳ）のための制御チャネルであることを特徴とする、請求項１３に記載の共通チャネルを介してデータを受信する移動端末。
【請求項１５】
第２タイプの情報要素は、第２共通制御物理チャネル（ＳＣＣＰＣＨ）システム情報であることを特徴とする、請求項１４に記載の共通チャネルを介してデータを受信する移動端末。
【請求項１６】
前記第２チャネルは、放送制御チャネル（ＢＣＣＨ）であることを特徴とする、請求項１３に記載の共通チャネルを介してデータを受信する移動端末。
【請求項１７】
前記修正されたチャネル設定情報は、システム情報ブロック（ＳＩＢ）を介して転送されることを特徴とする、請求項１３に記載の共通チャネルを介してデータを受信する移動端末。
【請求項１８】
前記情報要素が第１タイプの情報要素に該当すると、前記開始時点は、次の変更周期の開始時点として決定されることを特徴とする、請求項１３に記載の共通チャネルを介してデータを受信する移動端末。
【請求項１９】
前記第１タイプの情報要素は、前記第１共通チャネルがマルチメディア放送マルチキャストサービス（ＭＢＭＳ）のための専用物理チャネルにマッピングされる時に用いられることを特徴とする、請求項１８に記載の共通チャネルを介してデータを受信する移動端末。
【請求項２０】
前記第１タイプの情報要素は、第２共通制御物理チャネル（ＳＣＣＰＣＨ）システム情報ＭＢＭＳであることを特徴とする、請求項１８に記載の共通チャネルを介してデータを受信する移動端末。
【請求項２１】
前記情報要素が第２タイプの情報要素に該当すると、前記第１制御チャネルは、前記修正されたチャネル設定情報を受信すると直ちに再設定されることを特徴とする、請求項１３に記載の共通チャネルを介してデータを受信する移動端末。
【請求項２２】
前記情報要素が第２タイプの情報要素に該当し、前記修正されたチャネル設定情報が再設定の開始時点を指示する指示子を含むと、前記開始時点は、次の変更周期の開始時点として決定されることを特徴とする、請求項１３に記載の共通チャネルを介してデータを受信する移動端末。
【発明の詳細な説明】
【技術分野】
【０００１】
本発明は、移動通信システムに係り、より詳細には、移動通信のための共通チャネルを再設定することに関する。
【背景技術】
【０００２】
図１は、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）のネットワーク構成を示すダイヤグラムである。一般に、ＵＭＴＳシステム１０は、ユーザ端末（Ｕｓｅｒ  Ｅｑｕｉｐｍｅｎｔ；以下、‘ＵＥ’という。）１１と、ＵＭＴＳ無線接続網（ＵＭＴＳ  Ｔｅｒｒｅｓｔｒｉａｌ  Ｒａｄｉｏ  Ａｃｃｅｓｓ  Ｎｅｔｗｏｒｋ；以下、‘ＵＴＲＡＮ’という。）１２と、基幹網（Ｃｏｒｅ  Ｎｅｔｗｏｒｋ；以下、‘ＣＮ’という。）１３とからなる。ここで、ＵＥは、一般的に移動端末（ｍｏｂｉｌｅ  ｔｅｒｍｉｎａｌ）でありうる。ＵＴＲＡＮ１２は、少なくとも一つの無線網副システム（Ｒａｄｉｏ  Ｎｅｔｗｏｒｋ  Ｓｕｂ−ｓｙｓｔｅｍｓ；以下、‘ＲＮＳ’という。）で構成され、各ＲＮＳは、一つの無線網制御器（Ｒａｄｉｏ  Ｎｅｔｗｏｒｋ  Ｃｏｎｔｒｏｌｌｅｒ；以下、‘ＲＮＣ’という。）１３１と、ＲＮＣによって管理される一つ以上の基地局（以下、‘Ｎｏｄｅ  Ｂ’という。）１３２とからなる。一つのＮｏｄｅ  Ｂは、少なくとも一つのセル（ｃｅｌｌ）１３３を含む。
【０００３】
図２は、移動通信システムで無線インターフェースプロトコル（Ｒａｄｉｏ  Ｉｎｔｅｒｆａｃｅ  Ｐｒｏｔｏｃｏｌ）の階層構造を示すダイヤグラムである。図２に示すように、無線インターフェースプロトコルは、水平的に、物理階層（Ｐｈｙｓｉｃａｌ  Ｌａｙｅｒ）、データリンク階層（Ｄａｔａ  Ｌｉｎｋ  Ｌａｙｅｒ）及びネットワーク階層（Ｎｅｔｗｏｒｋ  Ｌａｙｅｒ）からなる。一方、無線インターフェースプロトコルは、垂直的に、ユーザデータ転送のためのユーザ平面（ｕｓｅｒ  ｐｌａｎｅ）と制御信号（ｓｉｇｎａｌｉｎｇ）伝達のための制御平面（ｃｏｎｔｒｏｌ  ｐｌａｎｅ）とからなる。
【０００４】
図２のプロトコル階層は、Ｌ１（第１階層）、Ｌ２（第２階層）、Ｌ３（第３階層）からななる。図２の階層は、開放型システム間相互接続（Ｏｐｅｎ  Ｓｙｓｔｅｍ  Ｉｎｔｅｒｃｏｎｎｅｃｔｉｏｎ；ＯＳＩ）階層構造による下位３つの階層に該当する。
【０００５】
第１階層、すなわち、物理（Ｐｈｙｓｉｃａｌ；以下、‘ＰＨＹ’という。）階層は、物理チャネル（ｐｈｙｓｉｃａｌ  ｃｈａｎｎｅｌｓ）を用いて上位階層に情報転送サービス（ｉｎｆｏｒｍａｔｉｏｎ  ｔｒａｎｓｆｅｒ  ｓｅｒｖｉｃｅ）を提供する。該ＰＨＹ階層は、第２階層、すなわち、媒体接続制御（Ｍｅｄｉｕｍ  Ａｃｃｅｓｓ  Ｃｏｎｔｒｏｌ；以下、‘ＭＡＣ’という。）階層と転送チャネル（Ｔｒａｎｓｐｏｒｔ  Ｃｈａｎｎｅｌ）を介して接続され、データは、転送チャネルを介してＭＡＣ階層とＰＨＹ階層間を移動する。そして、データは、物理チャネルを介して送信側のＰＨＹ階層と受信側のＰＨＹ階層間を移動する。
【０００６】
ＭＡＣ階層は、論理チャネル（Ｌｏｇｉｃａｌ  Ｃｈａｎｎｅｌ）を介して無線リンク制御（Ｒａｄｉｏ  Ｌｉｎｋ  Ｃｏｎｔｒｏｌ）階層にサービスを提供する。第２階層の無線リンク制御（Ｒａｄｉｏ  Ｌｉｎｋ  Ｃｏｎｔｒｏｌ；以下、‘ＲＬＣ’という。）階層は、信頼性あるデータの転送を支援し、上位階層から転送されてきたサービスデータ単位（Ｓｅｒｖｉｃｅ  Ｄａｔａ  Ｕｎｉｔ；以下、‘ＳＤＵ’という。）を分割（ｓｅｇｍｅｎｔａｔｉｏｎ）と連接（ｃｏｎｃａｔｅｎａｔｉｏｎ）することができる。
【０００７】
第３階層の最も下部に位置した無線資源制御（Ｒａｄｉｏ  Ｒｅｓｏｕｒｃｅ  Ｃｏｎｔｒｏｌ；以下、‘ＲＲＣ’という。）階層は、制御平面でのみ定義され、無線ベアラー（Ｒａｄｉｏ  Ｂｅａｒｅｒ；以下、‘ＲＢ’という。）の設定（Ｃｏｎｆｉｇｕｒａｔｉｏｎ）、再設定（Ｒｅｃｏｎｆｉｇｕｒａｔｉｏｎ）及び解除（Ｒｅｌｅａｓｅ）と関連して論理チャネル、転送チャネル及び物理チャネルを制御できる。ここで、ＲＢとは、ＵＥとＵＴＲＡＮ間のデータ転送のために第２階層によって提供されるサービスのことを意味する。一般に、ＲＢを設定するということは、特定サービスのためにプロトコル階層及びチャネルを規定するプロセスの他、該特定サービスに対応してパラメータ及び動作方法を設定するプロセスを意味する。
【０００８】
また、ＲＲＣ階層は、ブロードキャスト制御チャネル（Ｂｒｏａｄｃａｓｔ  Ｃｏｎｔｒｏｌ  Ｃｈａｎｎｅｌ；以下、‘ＢＣＣＨ’という。）を介してシステム情報を放送できる。一つのセルに対するシステム情報は、少なくとも一つのシステム情報ブロック（Ｓｙｓｔｅｍ  Ｉｎｆｏｒｍａｔｉｏｎ  Ｂｌｏｃｋ；以下、‘ＳＩＢ’という。）を用いてＵＥに放送される。システム情報が変更される場合、ＵＴＲＡＮはページングチャネル（Ｐａｇｉｎｇ  Ｃｈａｎｎｅｌ；以下、‘ＰＣＨ’という。）または順方向アクセスチャネル（Ｆｏｒｗａｒｄ  Ａｃｃｅｓｓ  Ｃｈａｎｎｅｌ；以下、‘ＦＡＣＨ’という。）を介してＢＣＣＨ変更情報（ＢＣＣＨ  Ｍｏｄｉｆｉｃａｔｉｏｎ  Ｉｎｆｏｒｍａｔｉｏｎ）をＵＥに転送し、ＵＥが最新のシステム情報を受信するようにする。
【０００９】
１対多サービス（ｐｏｉｎｔ−ｔｏ  ｍｕｌｔｉｐｏｉｎｔ  ｓｅｒｖｉｃｅ）の一例として、マルチメディア放送／マルチキャストサービス（Ｍｕｌｔｉｍｅｄｉａ  Ｂｒｏａｄｃａｓｔ／Ｍｕｌｔｉｃａｓｔ  Ｓｅｒｖｉｃｅ；以下、‘ＭＢＭＳ’という。）について説明すると、次の通りである。ＭＢＭＳは、ダウンリンク転送のために一般的に設定されるＭＢＭＳベアラーを用いてストリーミング（Ｓｔｒｅａｍｉｎｇ）またはバックグラウンド（Ｂａｃｋｇｒｏｕｎｄ）サービスを提供する。一つのＭＢＭＳサービスは、少なくとも一つのセッション（Ｓｅｓｓｉｏｎ）からなり、ＭＢＭＳデータは、セッションの進行中（ｏｎ  ｇｏｉｎｇ）に、ＭＢＭＳベアラーを介して複数のＵＥに転送される。当該ＵＥが自分の加入（Ｓｕｂｓｃｒｉｐｔｉｏｎ）したサービスに対応して活性化（Ａｃｔｉｖａｔｉｏｎ）されると、該ＵＥは当該サービスを受信することができる。
【００１０】
図３は、ＭＢＭＳのためのチャネルを示すダイヤグラムである。ＵＴＲＡＮは、ＲＢを介してＭＢＭＳをＵＥに提供する。ＵＴＲＡＮは、２タイプのＲＢ、すなわち、１対１（Ｐｏｉｎｔ−ｔｏ−ｐｏｉｎｔ）のＲＢと１対多（Ｐｏｉｎｔ−ｔｏ−ｍｕｌｔｉｐｏｉｎｔ）のＲＢを設定することができる。ここで、１対１のＲＢは、双方向無線ベアラー（ｂｉ−ｄｉｒｅｃｔｉｏｎａｌ  ＲＢ）に該当する。１対１のＲＢは、論理チャネルとして専用トラフィックチャネル（Ｄｅｄｉｃａｔｅｄ  Ｔｒａｆｆｉｃ  Ｃｈａｎｎｅｌ；以下、‘ＤＴＣＨ’という。）を、転送チャネルとして専用チャネル（Ｄｅｄｉｃａｔｅｄ  Ｃｈａｎｎｅｌ；以下、‘ＤＣＨ’という。）を、物理チャネルとして専用物理チャネル（Ｄｅｄｉｃａｔｅｄ  Ｐｈｙｓｉｃａｌ  Ｃｈａｎｎｅｌ；以下、‘ＤＰＣＨ’という。）または第２共通制御物理チャネル（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ；以下、‘ＳＣＣＰＣＨ’という。）をそれぞれ利用する。
【００１１】
一方、１対多のＲＢは、一方向無線ベアラー（ｕｎｉ−ｄｉｒｅｃｔｉｏｎａｌ  ＲＢ）に該当する。図３に示すように、１対多のＲＢは、論理チャネルとしてＭＢＭＳトラフィックチャネル（ＭＢＭＳ  Ｔｒａｆｆｉｃ  Ｃｈａｎｎｅｌ；以下、‘ＭＴＣＨ’という。）、転送チャネルとしてＦＡＣＨ、物理チャネルとしてＳＣＣＰＣＨをそれぞれ利用する。このＭＴＣＨは、一つのセルに提供されるそれぞれのＭＢＭＳごとに設定（ｃｏｎｆｉｇｕｒａｔｉｏｎ）されるが、ユーザ平面で一つのＭＢＭＳに該当するユーザデータの転送のために使われる。論理チャネルであるＭＣＣＨ（ＭＢＭＳ  Ｃｏｎｔｒｏｌ  Ｃｈａｎｎｅｌ）は、ＦＡＣＨ（Ｆｏｒｗａｒｄ  Ａｃｃｅｓｓ  Ｃｈａｎｎｅｌ）にマッピングされ、転送チャネルであるＦＡＣＨは、ＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）にマッピングされる。一般に、一つのＭＣＣＨは一つのセルに割り当てられる。
【発明の開示】
【発明が解決しようとする課題】
【００１２】
しかしながら、従来技術では、ＭＣＣＨがマッピングされているＳＣＣＰＣＨを再設定する場合、このＳＳＣＰＣＨの再設定タイミングがＵＥにはわからず、ＵＴＲＡＮは、一時的に既存に設定されたＳＣＣＰＣＨと再設定されたＳＣＣＰＣＨを介して同時に制御情報を転送しなければならなかった。その結果、このような二つの物理チャネルを介した制御情報の転送は、無線資源の浪費につながる。
【００１３】
したがって、本発明は、上記のような従来技術の制約と短所による一つ以上の問題点を実質的に除去するチャネル再設定方法に関する。
【００１４】
本発明の目的は、１対多サービスのために制御情報が転送されるチャネルの再設定方法を提供することにある。
【００１５】
本発明の追加的な長所、目的及び特徴は、下記の記載によって部分的に説明され、また、部分的には、下記の説明または本発明の実施によって、当該技術分野における通常の知識を持つ者にとって明らかになることができる。本発明の目的及び他の長所は、詳細な説明及び添付の図面の他に、請求項で特別に指摘された構造によって実現されることができる。
【００１６】
ここで具体化され且つ包括的に説明されるように、このような目的及び他の長所を実現し且つ本発明の目的を達成するために、一実施例として、通信システムの共通チャネルを再設定する方法は、第２共通チャネル（ＢＣＣＨ）を介して第１共通チャネル（ＭＣＣＨ）の修正されたチャネル再設定情報を受信する過程を含む。また、前記方法は、前記修正されたチャネル再設定情報を含む情報要素のタイプによって、前記第１共通チャネルを再設定する開始時点を決定する過程を含む。また、前記方法は、前記決定された開始時点で前記第１共通チャネルを再設定する過程を含む。
【００１７】
好ましくは、前記情報要素が第１タイプ情報要素に該当すると、前記開始時点は次の変更周期の開始時点として決定される。
【００１８】
好ましくは、前記情報要素が第１タイプ情報要素に該当すると、前記第１制御チャネルは、前記修正されたチャネル再設定情報の受信時に再設定される。
【００１９】
好ましくは、前記情報要素が第２タイプ情報要素に該当し、前記修正されたチャネル再設定情報が再設定開始時点を示す指示子を含むと、該開始時点は、次の変更周期の開始時点として決定される。
【００２０】
本発明の他の様相として、本発明の移動端末は、次のものを含む。
【００２１】
本発明の上述及びその他の内容、目的、特徴、様相、長所は、本発明についての下記の詳細な説明から明確になるだろう。本発明についての上の包括的な説明及び下記の詳細な説明はいずれも例示的で且つ説明的なもので、請求項に記載された本発明について付加的な説明を提供するためのものとして理解されるべきである。
【発明を実施するための最良の形態】
【００２２】
以下、本発明の好適な実施例について、添付の図面を参照しつつ詳細に説明する。図面中、同一の構成要素には可能な限り同一の参照番号を付する。
【００２３】
図４は、ＭＣＣＨを介してＭＣＣＨ情報を転送する方法を示すダイヤグラムである。図４に示すように、ＭＣＣＨ情報は、２タイプの周期、すなわち、変更周期及び反復周期を持つＭＣＣＨを介して転送される。ＭＣＣＨ情報は、重要情報と非重要情報を含む。非重要情報は、変更周期または反復周期内で修正可能であるが、重要情報は、変更周期内で修正可能である。すなわち、重要情報は、変更周期の間に（反復的に）転送され、修正された重要情報が当該変更周期の開始時点で転送される。ＭＣＣＨ情報は、ＭＢＭＳに関する制御メッセージを意味し、該制御メッセージはＲＲＣメッセージでありうる。
【００２４】
このＭＣＣＨ情報は、ＭＢＭＳ変更サービス情報（Ｍｏｄｉｆｉｅｄ  Ｓｅｒｖｉｃｅｓ  Ｉｎｆｏｒｍａｔｉｏｎ；以下、‘ＭＳＩ’という。）、ＭＢＭＳ非変更サービス情報（Ｕｎｍｏｄｉｆｉｅｄ  Ｓｅｒｖｉｃｅｓ  Ｉｎｆｏｒｍａｔｉｏｎ；以下、‘ＵＳＩ’という。）、ＭＢＭＳ１対多無線ベアラー情報（Ｐｏｉｎｔ−Ｔｏ−Ｍｕｌｔｉｐｏｉｎｔ  ＲＢ  Ｉｎｆｏｒｍａｔｉｏｎ）、アクセス情報（Ａｃｃｅｓｓ  Ｉｎｆｏｒｍａｔｉｏｎ）を含む。ここで、アクセス情報メッセージは非重要情報に該当し、残りの情報メッセージは重要情報に該当する。このアクセス情報は、反復周期と等しい、または、小さいアクセス周期ごとに転送される。また、反復周期は、アクセス周期の倍数に該当することができる。
【００２５】
ＵＴＲＡＮがＭＢＭＳに該当する制御メッセージを転送すると、この制御メッセージは、ＭＢＭＳ転送識別子（ＭＢＭＳ  ｔｒａｎｓｍｉｓｓｉｏｎ  ｉｄｅｎｔｉｔｙ）を含む。この場合、ＭＢＭＳ転送識別子は、ＭＢＭＳセッション識別子（ｓｅｓｓｉｏｎ  ｉｄｅｎｔｉｔｙ）とＭＢＭＳサービス識別子（ｓｅｒｖｉｃｅ  ｉｄｅｎｔｉｔｙ）とで構成される。例えば、ＵＴＲＡＮがＭＢＭＳ  ＭＳＩメッセージを転送するときに、このＭＢＭＳ  ＭＳＩメッセージは、ＭＢＭＳ転送識別子とその転送識別子に該当するサービス情報を含む。
【００２６】
ＵＴＲＡＮは、ＭＢＭＳ通知指示子チャネル（ＭＢＭＳ  ｎｏｔｉｆｉｃａｔｉｏｎ  Ｉｎｄｉｃａｔｏｒ  Ｃｈａｎｎｅｌ；以下、‘ＭＩＣＨ’という。）を介してＭＣＣＨが修正されるか否かに対する情報を周期的に転送する。したがって、ＵＥが一つの特定ＭＢＭＳデータのみを受信しようとしており、かつ、該特定ＭＢＭＳのセッションが始まる前なら、該ＵＥはＭＣＣＨまたはＭＴＣＨの代わりにＭＩＣＨを介して情報を受信する。
【００２７】
ＵＴＲＡＮは、当該ＭＣＣＨ情報からパラメータを生成、追加、変更または除去することによってＭＣＣＨ情報を更新できる。ＵＴＲＡＮは、変更周期の間にＭＣＣＨ情報が更新されるか否かに関する情報をＵＥに知らせるためにＭＩＣＨメッセージ及びＭＳＩメッセージを転送する。このＭＳＩメッセージは、変更周期の間に更新された各サービスに該当する少なくとも一つのサービス識別子と、該サービスに加入したＵＥの動作のための情報を含む。ここで、サービス識別子は、ＭＢＭＳ転送識別子（ＭＢＭＳ  ｔｒａｎｓｍｉｓｓｉｏｎ  ｉｄｅｎｔｉｔｙ）でありうる。ＭＢＭＳ転送識別子は、サービスを識別するＭＢＭＳサービス識別子で構成されることができる。また、該ＭＢＭＳ転送識別子は、ＭＢＭＳセッション識別子とＭＢＭＳサービス識別子との結合で構成されても良い。このＭＢＭＳセッション識別子は、一つのサービスセッションを識別する。一つのセルで現在提供されるサービスのうち、変更周期に変更されないサービスのサービス識別子は、ＵＳＩメッセージを介して転送される。ここで、サービス識別子は、該当するサービスのＭＢＭＳ転送識別子でありうる。
【００２８】
ＭＢＭＳサービスセッションが始まると、ＵＴＲＡＮは、ＵＥにＭＣＣＨを介して情報を受信することを通知する通知指示子（Ｎｏｔｉｆｉｃａｔｉｏｎ  Ｉｎｄｉｃａｔｏｒ；ＮＩ）を、ＭＩＣＨを介して転送する。該ＵＥがＵＴＲＡＮからＮＩを受信すると、このＵＥはＭＢＭＳデータを受信する。ＵＥがＭＩＣＨを介して当該サービス変更を通知するＮＩを受信すると、該ＵＥは、ＮＩが指示する変更周期の間にＭＣＣＨ情報を受信する。ＭＣＣＨ情報を受信する間に、ＵＥはＭＳＩメッセージを受信し、ＭＢＭＳが変更されたか否かをチェックする。ＵＥがＭＢＭＳの変更を検出すると、このＵＥは、変更されたＭＣＣＨ情報を受信する。一方、ＵＥは、変更周期の間に転送されるＭＳＩメッセージとＵＳＩメッセージを受信し、該変更周期の間にセル内で現在提供される全てのサービスのリストを獲得できる。
【００２９】
１対多のＲＢを介してＭＢＭＳサービスを受信しようとするＵＥは、ＭＣＣＨを介して無線ベアラー情報を含むＭＣＣＨ情報を受信し、該ＭＣＣＨ情報を用いて１対多のＲＢをＵＥ自分に設定する。ＵＥは、１対多のＲＢを設定した後、論理チャネルＭＴＣＨのマッピングされた物理チャネルＳＣＣＰＣＨを介してＭＢＭＳデータを受信する。
【００３０】
ＵＴＲＡＮは、ＭＴＣＨを介して当該ＭＢＭＳデータを転送できる。ここで、図３に示すように、ＵＴＲＡＮは、ＭＴＣＨがマッピングされるＳＣＣＰＣＨのＭＢＭＳスケジューリングチャネル（ＭＢＭＳ  Ｓｃｈｅｄｕｌｉｎｇ  Ｃｈａｎｎｅｌ；以下、‘ＭＳＣＨ’という。）を介してスケジューリングメッセージ（Ｓｃｈｅｄｕｌｉｎｇ  ｍｅｓｓａｇｅ）をＵＥに転送する。該スケジューリングメッセージは、一つのスケジューリング周期の間にＭＢＭＳデータの転送開始時点と終了時点に関する情報を含む。したがって、ＵＴＲＡＮはＵＥに、スケジューリング情報の転送周期（スケジューリング周期；Ｓｃｈｅｄｕｌｉｎｇ  Ｐｅｒｉｏｄ）をあらかじめ知らせる。
【００３１】
図５は、第１実施例によるＭＣＣＨ再設定過程を示すフローチャートである。図５に示すように、ＵＴＲＡＮは、ＳＣＣＰＣＨシステム情報ＭＢＭＳ（Ｓｅｃｏｎｄａｒｙ  ＣＣＰＣＨ  ｓｙｓｔｅｍ  ｉｎｆｏｒｍａｔｉｏｎ  ＭＢＭＳ）を含むＳＩＢを、ＢＣＣＨを介して放送する。ここで、ＳＣＣＰＣＨシステム情報ＭＢＭＳは、ＭＣＣＨ再設定情報を含む。このとき、ＵＥは、ＢＣＣＨチャネル情報の変更を認知でき、ＢＣＣＨを介してＳＣＣＰＣＨシステム情報ＭＢＭＳを受信する。ＵＥは、ＳＣＣＰＣＨシステム情報ＭＢＭＳからＭＣＣＨ再設定情報を獲得できる（Ｓ５１）。
【００３２】
ＵＥは、当該ＳＣＣＰＣＨシステム情報ＭＢＭＳを受信する当時の変更周期が終了するまで当該ＭＣＣＨを再設定しない。ＭＣＣＨ情報を受信する必要がある場合、ＵＥは、当該再設定情報を適用する前まで従来の設定（ｃｏｎｆｉｇｕｒａｔｉｏｎ）を用いてＭＣＣＨ情報を受信することができる（Ｓ５２）。
【００３３】
当該ＳＣＣＰＣＨシステム情報ＭＢＭＳを受信する当時の変更周期が終了した後、ＵＥは、ＭＣＣＨ再設定情報を用いてＭＣＣＨを再設定し始める（Ｓ５３）。続いて、ＵＴＲＡＮは、当該再設定されたＭＣＣＨを介して信号を転送し始め、ＵＥも当該再設定されたＭＣＣＨチャネルを介して信号を受信する（Ｓ５４）。
【００３４】
図６は、第２実施例によってＭＣＣＨを再設定する過程を示すフローチャートである。図６の実施例は、ＭＣＣＨ再設定を次の変更周期の開始時点で始まる場合である。
【００３５】
図６で、ＵＴＲＡＮは、ＳＣＣＰＣＨシステム情報（Ｓｅｃｏｎｄａｒｙ  ＣＣＰＣＨ  ｓｙｓｔｅｍ  ｉｎｆｏｒｍａｔｉｏｎ）を含む情報ブロックを、ＢＣＣＨチャネルを介して放送する。ここで、ＳＣＣＰＣＨシステム情報は、ＭＣＣＨ再設定情報を含む。すると、ＵＥは、ＢＣＣＨチャネル情報の変更を認知し、ＢＣＣＨを介してＳＣＣＰＣＨシステム情報を受信し、ＳＣＣＰＣＨシステム情報に含まれたＭＣＣＨ再設定情報を獲得する（Ｓ６１）。
【００３６】
続いて、ＵＥは、ＳＣＣＰＣＨシステム情報に基づいてＭＣＣＨ再設定の開始時点を決定する（Ｓ６２）。ここで、ＵＥは、ＳＣＣＰＣＨシステム情報に含まれた指示（ｉｎｄｉｃａｔｉｏｎ）によってＭＣＣＨ再設定の開始時点を決定することができる。または、ＵＥは、前記指示無しで、ＳＣＣＰＣＨシステム情報に基づいてＭＣＣＨ再設定の開始時点を決定しても良い。
【００３７】
上記指示を用いるＭＣＣＨ再設定方法では、ＵＥは、ＳＣＣＰＣＨシステム情報を受信し、受信したＳＣＣＰＣＨシステム情報に指示が含まれているか否か確認する。ＳＣＣＰＣＨシステム情報に指示が含まれていないと、次の変更周期の開始時点でＭＣＣＨを再設定し始めれば良い。一方、ＳＣＣＰＣＨシステム情報に指示が含まれていると、ＵＥは、該ＳＣＣＰＣＨシステム情報を受信すると直ちにＭＣＣＨを再設定し始めることができる。
【００３８】
なお、ＳＣＣＰＣＨシステム情報に指示が含まれている場合、ＵＥは、次の変更周期の開始時点でＭＣＣＨを再設定し始めても良い。また、ＳＣＣＰＣＨシステム情報に指示が含まれていない場合、ＳＣＣＰＣＨシステム情報を受信すると直ちにＭＣＣＨを再設定し始めても良い。
【００３９】
また、上記指示が、ＭＣＣＨ再設定の開始時点を次の変更周期の開始時点に対応付けている場合には、ＵＥは、この指示によって次の変更周期の開始時点でＭＣＣＨを再設定し始めることができる。上記指示がＭＣＣＨの即時再設定を指示すると、ＵＥは、ＳＣＣＰＣＨシステム情報を受信すると直ちにＭＣＣＨを再設定し始めれば良い。
【００４０】
指示無しでＭＣＣＨを再設定する方法では、ＵＥは、指示無しでＳＣＣＰＣＨシステム情報を受信し、次の変更周期の開始時点でＭＣＣＨを再設定し始めることができる。ここで、ＳＣＣＰＣＨシステム情報は、ＭＣＣＨ以外のチャネル再設定情報を含む場合、ＵＥは、ＳＣＣＰＣＨシステム情報を受信すると直ちに当該チャネル再設定情報を適用すると決定することができる。
【００４１】
または、ＵＥが次の変更周期の開始時点からＭＣＣＨを再設定し始める場合、ＵＥは、現在変更周期の終了時点（すなわち、次の変更周期の開始時点）まで未だ再設定されていないＭＣＣＨを介して信号を受信することができる（Ｓ６３）。次の変更周期が始まる時、ＵＥは、ＭＣＣＨを再設定し始める（Ｓ６４）。ＭＣＣＨの再設定以降に、ＵＴＲＡＮは、再設定されたＭＣＣＨを介して制御情報を転送し、ＵＥは、該再設定されたＭＣＣＨを介して当該制御情報を受信する（Ｓ６５）。
【００４２】
図７は、第１実施例による端末のＭＣＣＨ再設定方法を示すフローチャートである。図７に示すように、ＵＥは、特定変更周期で、変更されたＭＣＣＨ設定情報を含むＳＩＢをＢＣＣＨを介して受信する（Ｓ７１）。ＵＥは、ＭＣＣＨ再設定情報を含むＳＩＢを受信する。そして、ＵＥは、ＳＩＢのどの情報要素にＭＣＣＨ再設定情報が含まれているか検査する（Ｓ７２）。
【００４３】
ＭＣＣＨ再設定情報がＳＩＢに含まれたＳＣＣＰＣＨシステム情報ＭＢＭＳに含まれている場合、ＵＥは、次の変更周期の開始時点でＭＣＣＨを再設定し始めることができる。（Ｓ７３）。
【００４４】
しかし、ＭＣＣＨ再設定情報がＳＩＢに含まれたＳＣＣＰＣＨシステム情報に含まれていると、ＵＥは、このＳＣＣＰＣＨシステム情報を受信すると直ちにＭＣＣＨを再設定し始める（Ｓ７４）。
【００４５】
図８は、第２実施例による端末のＭＣＣＨ再設定方法を示すフローチャートである。図８に示すように、ＵＥは、特定変更周期で、ＢＣＣＨを介して、ＭＣＣＨ再設定情報を含むＳＩＢを受信する（Ｓ８１）。そして、ＵＥは、ＭＣＣＨ再設定情報がＳＩＢのどの情報要素に含まれているか検査する（Ｓ８２）。
【００４６】
ＭＣＣＨ再設定情報がＳＩＢに含まれたＳＣＣＰＣＨシステム情報ＭＢＭＳに含まれていると、ＵＥは、次の変更周期の開始時点でＭＣＣＨを再設定し始めることができる（Ｓ８３）。
【００４７】
しかし、ＭＣＣＨ再設定情報がＳＩＢに含まれたＳＣＣＰＣＨシステム情報に含まれていると、ＵＥは、ＳＣＣＰＣＨシステム情報に含まれた情報内容によって、ＭＣＣＨの再設定開始時点を決定できる（Ｓ８３）。すなわち、ＵＥは、指示によって次の変更周期の開始時点でＭＣＣＨの再設定を始める（Ｓ８４）、または、ＳＣＣＰＣＨシステム情報を受信すると直ちにＭＣＣＨの再設定を始めることができる（Ｓ８５）。
【００４８】
図９は、本発明に係るＵＥを示す構成図である。図９に示すように、ＵＥは、アンテナ部９１、無線周波数（ＲＦ；Ｒａｄｉｏ  Ｆｒｅｑｕｅｎｃｙ）部９２、信号処理部９３及びメモリ部９４を備える。信号処理部９３は、マイクロ・プロセッサやデジタルプロセッサのようなプロセシングユニットを含む。さらに、ＵＥは、ディスプレイ部９５、キーパッド部９６及びスピーカー部９７を備えることができる。
【００４９】
ＵＥは、アンテナ部９１及びＲＦ部９２でＭＣＣＨ及びＢＣＣＨを介して信号を受信する。信号処理部９３は、上記のプロセスに従ってＭＣＣＨ及びＢＣＣＨを介して受信した信号を用いてＭＣＣＨを再設定する。
【００５０】
また、好ましい実施例は、ソフトウェア、ファームウエア、ハードウェア、またはこれらの組み合わせを生成するために標準プログラミング及び／またはエンジニアリング技術を利用した方法、装置または製品として具現されることができる。ここで“製品”という用語は、ハードウェアロジック（例えば、集積回路チップ、フィールドプログラマブルゲートアレイ（Ｆｉｅｌｄ  Ｐｒｏｇｒａｍｍａｂｌｅ  Ｇａｔｅ  Ａｒｒａｙ；ＦＰＧＡ）、応用特化集積回路（Ａｐｐｌｉｃａｔｉｏｎ  Ｓｐｅｃｉｆｉｃ  Ｉｎｔｅｇｒａｔｅｄ  Ｃｉｒｃｕｉｔ；ＡＳＩＣ））またはコンピュータで読み取り可能な媒体（例えば、磁気記録媒体（例えば、ハードディスクドライブ、フロッピー（登録商標）ディスク、テープ等）、光学記録媒体（例えば、ＣＤ−ＲＯＭ、光学ディスク等）、揮発性及び不揮発性メモリ装置（例えば、ＥＥＰＲＯＭｓ、ＲＯＭｓ、ＰＲＯＭｓ、ＲＡＭｓ、ＤＲＡＭｓ、ＳＲＡＭｓ、ファームウエア、プログラム可能なロジック等））で具現されるコードまたはロジックを意味する。
【００５１】
以上では本発明の各実施例がｎｏｄｅ−Ｂと関連して説明されたが、本発明は、基地局や他の種類の固定された通信ステーションにも適用可能である。
【００５２】
本発明の技術的思想及び範囲を逸脱しない限度内で、本発明の様々な変形及び変移ができることは、当該技術における通常の知識を持つ者にとっては自明である。したがって、本発明は、添付の請求範囲及びその均等範囲内で提供されるいずれの発明の変形及び変移も含む。
【産業上の利用可能性】
【００５３】
本発明は、携帯電話だけでなく、個人携帯情報端末機（ＰＤＡ；Ｐｅｒｓｏｎａｌ  Ｄｉｇｉｔａｌ  Ａｓｓｉｓｔａｎｔ）あるいは無線通信機能を搭載したノートブックに適用可能である。
【図面の簡単な説明】
【００５４】
【図１】ＵＭＴＳのネットワーク構成を示すダイヤグラムである。
【図２】移動通信システムで無線インターフェースプロトコルの階層構造を示すダイヤグラムである。
【図３】ＭＢＭＳのためのチャネルを示すダイヤグラムである。
【図４】ＭＣＣＨを介してＭＣＣＨ情報を転送する方法を示すダイヤグラムである。
【図５】第１実施例によるＭＣＣＨ再設定過程を示すフローチャートである。
【図６】第２実施例によるＭＣＣＨ再設定過程を示すフローチャートである。
【図７】第１実施例によるＭＣＣＨ再設定方法を示すフローチャートである。
【図８】第２実施例によるＭＣＣＨ再設定方法を示すフローチャートである。
【図９】本発明によるＵＥの構造図である。
【図１】
2008541542.tif 000003
【図２】
2008541542.tif 000004
【図３】
2008541542.tif 000005
【図４】
2008541542.tif 000006
【図５】
2008541542.tif 000007
【図６】
2008541542.tif 000008
【図７】
2008541542.tif 000009
【図８】
2008541542.tif 000010
【図９】
2008541542.tif 000011
【国際調査報告】
2008541542.tif 000012
2008541542.tif 000013